(57)【要約】【課題】シャワー時に無駄な温度低下によるロスをなくし、シャワー浴の効果を高めることができ、ボディシャンプー等の周囲への飛散を防止すること。シャワー後はシャワー装置本体を納まり良く収納すること。【解決手段】椅子部２に着座した入浴者の少なくとも上半身の前面側を覆うことができると共に内面部３ａに入浴者の身体に向けて温水を噴霧させるための多数の噴霧孔が設けられたシャワー装置本体３を備えると共に、シャワー装置本体３を椅子部２から開放する開放位置Ｐ１と、シャワー装置本体３の内面部３ａを入浴者が入る隙間をあけて椅子部２と対面する対面位置Ｐ２と、シャワー装置本体３の内面部３ａが椅子部２に重合する重合位置とのいずれか１つの位置にシャワー装置本体３を移動させる移動手段８を備えたシャワー装置１である。【選択図】図１
2007236412.tif 000002
【特許請求の範囲】
【請求項１】
入浴者が着座する座部と背もたれ部とを有する椅子部と、着座した入浴者の少なくとも上半身の前面側を覆うことができると共に内面部に入浴者の身体に向けて温水を噴霧させるための多数の噴霧孔が設けられたシャワー装置本体とを備えると共に、上記椅子部への着座又は離座ができるようにシャワー装置本体を椅子部から開放する開放位置と、上記各噴霧孔から入浴者の身体の表面までの間隔をほぼ同じになるようにシャワー装置本体の内面部を入浴者が入る隙間をあけて椅子部と対面する対面位置と、上記シャワー装置本体の内面部が椅子部の座部から背もたれ部に重合する重合位置とのいずれか１つの位置にシャワー装置本体を移動させる移動手段を備えることを特徴とするシャワー装置。
【請求項２】
上記シャワー装置本体は開放位置では椅子部の上方に開かれるようになっており、下方に下ろした状態で上記対面位置と上記重合位置のいずれか１つの位置を選択できるようにしたことを特徴とする請求項１記載のシャワー装置。
【請求項３】
上記シャワー装置本体の断面形状を、椅子部の座部から背もたれ部に沿わせた断面椅子型状に形成したことを特徴とする請求項１又は２記載のシャワー装置。
【発明の詳細な説明】
【技術分野】
【０００１】
本発明は、入浴者が椅子に腰掛けた着座姿勢でシャワーを浴びることができるシャワー装置に関するものである。
【背景技術】
【０００２】
従来より、この種のシャワー装置として、図５に示すように、椅子２０の左右両側に設けたアーム２１を上下に回動自在に設置し、このアーム２１の内面側に複数の噴霧ノズル２２を並べて組み込み、各噴霧ノズル２２から噴霧される温水Ｗにより身体を包み込むようにして洗浄を行なえるようにしたシャワー装置が知られている（例えば特許文献１参照）。
【０００３】
ところが、従来のアーム２１に組み込まれる噴霧ノズル２２は、入浴者の身体の表面までの間に距離があり、無駄な温度低下によるエネルギーロスが発生する問題が生じる。しかもその距離にはバラツキがあるため、温水の噴射水圧、温度が身体の各部位によって異なり、爽快感が得られず、シャワー浴の効果が半減するという問題がある。そのうえ、外部に露出しているアーム２１から温水を噴霧させるため、周囲への飛散が多くなり、特にボディシャンプーの飛散によって浴槽側や壁面に汚れが付着するといった問題もある。
【特許文献１】特許第３７２４０２２号
【発明の開示】
【発明が解決しようとする課題】
【０００４】
本発明は上記の従来の問題点に鑑みて発明したものであって、シャワー装置本体の内面部に設けた複数の噴霧孔から入浴者の身体の表面までの間の距離を縮めて、無駄な温度低下によるエネルギーロスの発生を防止でき、しかも短時間で温熱効果が得られると共にどんな入浴者の体格にも合わすことができ、さらに温水の噴射水圧、温度を身体の各部位によってほぼ同じにすることで、シャワー浴の効果を高めることができると共に、ボディシャンプー等が周囲へ飛散することを防止でき、そのうえシャワー後はシャワー装置本体を納まり良く収納できようにしたシャワー装置を提供することを課題とするものである。
【課題を解決するための手段】
【０００５】
前記課題を解決するために本発明に係るシャワー装置は、入浴者が着座する座部２ａと背もたれ部２ｂとを有する椅子部２と、着座した入浴者の少なくとも上半身の前面側Ｍを覆うことができると共に内面部３ａに入浴者の身体に向けて温水を噴霧させるための多数の噴霧孔４が設けられたシャワー装置本体３とを備えると共に、上記椅子部２への着座又は離座ができるようにシャワー装置本体３を椅子部２から開放する開放位置Ｐ１と、上記各噴霧孔４から入浴者の身体の表面までの間隔をほぼ同じになるようにシャワー装置本体３の内面部３ａを入浴者が入る隙間をあけて椅子部２と対面する対面位置Ｐ２と、上記シャワー装置本体３の内面部３ａが椅子部２の座部２ａから背もたれ部２ｂに重合する重合位置Ｐ３とのいずれか１つの位置にシャワー装置本体３を移動させる移動手段８を備えることを特徴としている。
【０００６】
このような構成とすることで、シャワー装置本体３を開放位置Ｐ１に移動させて入浴者が椅子部２に着座した後に、シャワー装置本体３を入浴者の少なくとも上半身の前面側Ｍを覆った対面位置Ｐ２に移動させて、シャワー装置本体３の内面部３ａに設けた複数の噴霧孔４から入浴者の身体に向けて温水を噴霧させることにより、効率よくかつ適正に温水を身体の必要各部に向けて霧状に噴出させて包み込むことができる。しかも、上記対面位置Ｐ２では各噴霧孔４から入浴者の身体の表面までの間隔がほぼ同じになるように構成されているので、入浴者の全身にわたって複数の噴霧孔４から同じ噴射水圧、温度で温水を浴びせることができ、噴霧孔４と身体の表面との間に従来のような距離がなくなるため、無駄な温度低下によるエネルギーロスを防止できるようになると共に、シャワー装置本体３で身体を包み込むことで温水やボディシャンプーが周囲に飛散することもなくなる。さらにシャワー後は、シャワー装置本体３を開放位置Ｐ１に移動させて入浴者が椅子部２から離れた後に、シャワー装置本体３を重合位置Ｐ３にセットできるようになる。
【０００７】
また、上記シャワー装置本体３は上記開放位置Ｐ１では椅子部２の上方に開かれるようになっており、下方に下ろした状態で上記対面位置Ｐ２と上記重合位置Ｐ３のいずれか１つの位置を選択できるようにするのが好ましく、この場合、シャワー装置本体３を跳ね上げることで入浴者は椅子部２に着座又は離座でき、シャワー装置本体３を対面位置Ｐ２まで下ろすことでシャワーを浴びることができ、シャワー後にはシャワー装置本体３を更に下ろして重合位置Ｐ３にセットすることができる。
【０００８】
また、上記シャワー装置本体３の断面形状を、椅子部２の座部２ａから背もたれ部２ｂに沿わせた断面椅子型状に形成するのが好ましく、この場合、シャワー後にシャワー装置本体３の内面部３ａを椅子部２と重合する重合位置Ｐ３に配置した状態で、シャワー装置本体３の内面部３ａとは反対側の外面部３ｂが椅子形状となるので、シャワー装置本体３の外面部３ｂに入浴者が着座したり、或いは浴室洗面器置きやカウンターとして有効利用できるようになる。
【発明の効果】
【０００９】
本発明は、椅子部に着座した入浴者の少なくとも上半身の前面側を覆う対面位置にシャワー装置本体を移動させ、シャワー装置本体の内面部に設けた複数の噴霧孔から入浴者の身体に向けて温水を噴霧させることにより、効率よくかつ適正に温水を身体の必要各部に向けて霧状に噴出させて包み込むことができ、全身の温浴感を確保しつつシャワー洗浄を行なうことができると共に、短時間で温熱効果が得られ、そのうえどんな入浴者の体格にも合わすことができる。しかも、上記対面位置では各噴霧孔から入浴者の身体の表面までの間隔がほぼ同じになるので、入浴者の全身にわたって複数の噴霧孔から同じ噴射水圧、温度で温水を浴びせることができ、噴霧孔と身体の表面との間に従来のような距離がなくなるため、無駄な温度低下によるエネルギーロスを防止でき、エネルギー効率を高めることができると共に、シャワー装置本体で身体を包み込むことにより、ボディシャンプー等が周囲に飛散することもなくなり、浴槽側や壁面に汚れが付着するのを防止でき、そのうえシャワー後は、シャワー装置本体を重合位置にセットすることで、納まり良く収納できるものである。
【発明を実施するための最良の形態】
【００１０】
以下、本発明を添付図面に示す実施形態に基いて説明する。
【００１１】
本発明のシャワー装置１は、例えば、ユニットバスルームに設置され、入浴者が着座できる椅子部２と、複数の噴霧孔４を備えたシャワー装置本体３と、シャワー装置本体３を移動させる移動手段８とで主体が構成されている。
【００１２】
先ず、椅子部２は、図１に示すように、水平方向に延出して入浴者の臀部を支持する座部２ａと、座部２ａの後部から上方に突出して入浴者の背部を支持する背もたれ部２ｂとを有している。
【００１３】
シャワー装置本体３は、上記椅子部２に着座した入浴者の腰部よりも上半身（胸、腹、肩、首、腕等）の前面側Ｍを覆うことができる上半身カバー部３Ａと、身体の腰部よりも下半身（腰、大腿、脛等）の前面側Ｎを覆うことができる下半身カバー部３Ｂとが一体形成されている。図２中の１５は入浴者の首を密着させて嵌め込む凹部、１６は把手である。本例では、シャワー装置本体３の断面形状が、椅子部２の座部２ａから背もたれ部２ｂに沿わせた断面略Ｚ型の椅子型形状に形成されている。シャワー装置本体３の一例として、図３に示すように、多数の噴霧孔４が穿孔された複数の給湯用パイプ６を縦横に組み合わせて枠を構成し、該枠の外面側を断熱シート７で覆ったものである。勿論、シャワー装置本体３は上記構成に限定されるものではなく、要するに、人体を覆うことができるシャワー装置本体３の内面部３ａに入浴者の身体に向けて温水を噴霧させるための多数の噴霧孔４が設けられたものであればよい。
【００１４】
上記シャワー装置本体３の移動手段８は、シャワー装置本体３を椅子部２に対して移動させるためのものであり、本例では図１、図２（ａ）に示すように、椅子部２の背もたれ部２ｂの上部両サイドとシャワー装置本体３の上部両サイドとをそれぞれ回動自在に連結する左右一対のダンパー機能を有する伸縮ロッド８ａ，８ｂで構成されている。そして、椅子部２への着座又は離座ができるようにシャワー装置本体３を椅子部２から開放する開放位置Ｐ１（図１（ｂ）の状態）と、各噴霧孔４から入浴者の身体の表面までの間隔をほぼ同じになるようにシャワー装置本体３の内面部３ａを入浴者が入る隙間をあけて椅子部２と対面する対面位置Ｐ２（図１（ａ）、図２（ｂ）の状態）と、シャワー装置本体３の内面部３ａが椅子部２の座部２ａから背もたれ部２ｂに重合する重合位置Ｐ３（図４の状態）のいずれか１つの位置にシャワー装置本体３が移動できるようになっている。また重合位置Ｐ３では下半身カバー部３Ｂの下端が床と接触しないようにしている。また本例では伸縮ロッド８ａ，８ｂがダンパ機能を有することにより、開放位置Ｐ１と対面位置Ｐ２と重合位置Ｐ３とで、シャワー装置本体３をそれぞれ安定保持できるようにしている。
【００１５】
また、上記シャワー装置本体３の各噴霧孔４への温水の供給手段として、例えば、シャワー装置本体３に給湯配管９（図２）を接続し、図示省略した給湯装置からの温水をポンプから給湯配管９を介してシャワー装置本体３内の複数の給湯用パイプ６にそれぞれ送り込み、各給湯用パイプ６に設けた複数の噴霧孔４からシャワー状に噴射されるようになっている。なお、給湯配管９への温水供給・停止は、浴室内に設けた操作パネル（或いはリモコン操作器）にて操作できるようにし、例えば、低温・高温の交互刺激、流量の強弱の相互刺激を入浴者の好みに合わせて実行するための自動洗浄モードを選択できるようにしている。
【００１６】
しかして、本発明のシャワー装置１にあっては、先ず図２（ａ）のようにシャワー装置本体３を上方に跳ね上げて、椅子部２の座部２ａに腰掛け、その後、シャワー装置本体３を引き下げ、入浴者の首から下の身体部分を覆う。このとき入浴者の首をシャワー装置本体３の上端部に設けた凹部１５に嵌め込むことができ、密着性を高めることができる。またこのとき、図２（ｂ）のように、シャワー装置本体３の断面形状は、椅子部２の座部２ａから背もたれ部２ｂに沿わせた断面椅子型状に形成されているので、シャワー装置本体３の内面部３ａが椅子部２に着座している入浴者の上半身の前面側Ｍから下半身の前面側Ｎに沿ってピッタリとフィットするようになり、どんな入浴者の体格にも合わすことができるようになる。この状態で、上半身カバー部３Ａの噴霧孔４から入浴者の胸や腹等の上半身の前面側Ｍに向けて温水が噴霧すると共に、下半身カバー部３Ｂの噴霧孔４から入浴者の腰部から下半身の前面側Ｎに向けて温水が噴霧することにより、効率よくかつ適正に温水を身体全体に向けて霧状に噴出させて包み込むことができ、しかも身体のまわりに湯水の微粒子が充満することで、全身の温浴感を確保しつつシャワー洗浄を行なうことができる。また、温水で全身を包み込むことにより、短時間で温熱効果が得られると共に、各噴霧孔４から入浴者の身体の表面までの間隔がほぼ同じになるので、入浴者の全身にわたって複数の噴霧孔４から同じ噴射水圧、温度で温水を浴びせることができ、爽快感が十分に得られ、シャワー浴の効果を一層高めることができる。特に、噴霧孔４と身体の表面との間には従来のような距離がなくなるため、無駄な温度低下によるエネルギーロスを防止でき、エネルギー効率を高めることができる。またシャワー装置本体３が身体全身を包み込むので、ボディシャンプーが周囲に飛散することがなくなり、このため、浴槽側や壁面に汚れが付着するのを防止できる利点もある。
【００１７】
さらに、身体を洗浄した後の温水は、シャワー装置本体３の下部の隙間から自然に排出されるので、身体を包み込む温水の微粒子が、噴霧孔４から順次噴出される新しい温水の微粒子と常時入れ代わることにより、身体全体の熱交換を迅速かつ十分に行なうことができ、バスタブ入浴の場合と同等レベルの温熱作用が容易に得られる。つまり従来のバスタブ入浴に比べ、シャワー浴は静水圧作用がなく入浴者の身体への負担が少ないものであり、そのうえ本発明のシャワー装置本体３による全身シャワーでは、全身が十分に暖まりやすく、リラックスした気分が得られると共に、低温・高温の交互刺激、流量の強弱の相互刺激を入浴者の身体の状況に応じて適宜調整すれば、安全入浴を確保しつつ、身体にマッサージ的な刺激を与えて身体の血行促進や内蔵の働きをよくできる作用効果が得られるようになる。さらに、シャワー装置本体３は上下に回動自在であるため、シャワー途中でもシャワー装置本体３を上方に開いて、体温調整を行なったり、顔や頭等の汗を拭ったりする動作を容易に行なえるようになる。
【００１８】
シャワー後は、シャワー装置本体３を椅子部２の上方に跳ね上げることで、入浴者は椅子部２から離れることができ、その後でシャワー装置本体３を再び下ろして椅子部２と重合する重合位置Ｐ３にセットすることにより、図４（ｂ）のようにシャワー装置本体３の椅子形状をした外面部３ｂを人の着座面として利用したり、或いは浴室洗面器置きやカウンター面として有効利用できるようになる。
【００１９】
さらに本例では、複数本の噴霧孔４を有する給湯用パイプ６を用いてシャワー装置本体３の枠を構成しているので、シャワー装置本体３を簡易で安価なものとすることができると共に、軽量化を図ることができるので、シャワー装置本体３の上方向への跳ね上げ動作や引き下げ動作が容易となり、安全を確保しながら使い勝手が良くなる利点もある。
【００２０】
なお前記実施形態ではシャワー装置本体３を上方に跳ね上げる場合を説明したが、必ずしもこれに限らず、左右いずれかに片開き式としてもよく、或いは、シャワー装置本体３の中央部を分断して左右両開き式とすることも可能である。
【００２１】
本発明に係るシャワー装置１は、一般家庭の浴室やユニットバスルームに限らず、例えば、病院や福祉施設において、高齢者等の被介護者を椅子に座らせたままシャワーを浴びることができる介護シャワー装置としても広く使用可能である。
【図面の簡単な説明】
【００２２】
【図１】本発明の一実施形態に用いられるシャワー装置を示し、（ａ）はシャワー装置本体を対面位置に配置した状態を示す側面図、（ｂ）はシャワー装置本体を開放位置に跳ね上げた状態を示す側面図である。
【図２】（ａ）は同上のシャワー装置本体を開放位置にした状態で入浴者が椅子部に着座した状態を説明する斜視図、（ｂ）は同上のシャワー装置本体を対面位置まで下ろしてシャワーを浴びる状態を説明する側面図である。
【図３】同上のシャワー装置本体の内面部に設けられる噴霧孔の説明図である。
【図４】（ａ）は同上のシャワー装置本体を椅子部と重合する重合位置に配置した状態を説明する斜視図、（ｂ）は同上の重合位置に配置したシャワー装置本体の外面部に入浴者が着座している状態を説明する側面図である。
【図５】従来のシャワー装置の説明図である。
【符号の説明】
【００２３】
１  シャワー装置
２  椅子部
２ａ  座部
２ｂ  背もたれ部
３  シャワー装置本体
３ａ  内面部
３ｂ  外面部
４  噴霧孔
８  移動手段
Ｍ  上半身前面側
Ｎ  下半身前面側
Ｐ１  開放位置
Ｐ２  対面位置
Ｐ３  重合位置
【図１】
2007236412.tif 000003
【図２】
2007236412.tif 000004
【図３】
2007236412.tif 000005
【図４】
2007236412.tif 000006
【図５】
2007236412.tif 000007